(57)【要約】      （修正有）【課題】断熱性能を向上することができる建物ユニットの断熱構造を提供する。【解決手段】天井大梁２２及び床大梁２８が天井仕口２０及び床仕口２６を介して柱１４と接合されることで箱型に形成されると共に、柱１４と天井仕口２０との接合部３２及び柱１４と床仕口２６との接合部３２に凸形状のビード形状とされた溶接ビード３４がそれぞれ形成された躯体フレーム１０と、溶接ビード３４の建物外側面にそれぞれ設けられると共に板状に形成されかつ溶接ビード３４と対応する部位に溶接ビード３４を受け入れる溶接受入れ部が設けられた柱用断熱材と、を有する建物ユニット１２の断熱構造。【選択図】図１
2015161083.tif 000002
【特許請求の範囲】
【請求項１】
天井大梁及び床大梁が天井仕口及び床仕口を介して柱と接合されることで箱型に形成されると共に、前記柱と前記天井仕口との接合部及び前記柱と前記床仕口との接合部に凸形状のビード形状とされた溶接部がそれぞれ形成された躯体フレームと、
前記溶接部の建物外側面に設けられると共に板状に形成されかつ前記溶接部と対応する部位に前記溶接部を受け入れる溶接受入れ部が設けられた柱用断熱材と、
を有する建物ユニットの断熱構造。
【請求項２】
前記柱用断熱材の溶接受入れ部には、溝が形成された、
請求項１記載の建物ユニットの断熱構造。
【請求項３】
前記柱用断熱材の前記溶接受入れ部の前記溝には、発泡ウレタン断熱材が充填された、
請求項２記載の建物ユニットの断熱構造。
【請求項４】
前記柱用断熱材の前記溶接受入れ部は、弾力性を有する素材で構成された、
請求項１〜請求項３のいずれか１項に記載の建物ユニットの断熱構造。
【請求項５】
前記柱用断熱材の前記溶接受入れ部と前記柱との間には、弾力性を有するシート状の部材が介在された、
請求項１〜請求項４のいずれか１項に記載の建物ユニットの断熱構造。
【請求項６】
前記躯体フレームの前記柱の建物外側面には、建物外側に設けられた外壁面材と当該外壁面材の裏面に配置され当該外壁面材を支持する外壁フレームと当該外壁フレームの建物内側に設けられた前記柱用断熱材とで構成された柱部外壁パネルが設けられている、
請求項１〜請求項５のいずれか１項に記載の建物ユニットの断熱構造。
【発明の詳細な説明】
【技術分野】
【０００１】
本発明は、建物ユニットの断熱構造に関する。
【背景技術】
【０００２】
下記特許文献１には、建物外壁構造において、建物外側に外壁パネルが設けられると共に、建物内側に内壁パネルが設けられた構造が開示されている。具体的には、外壁パネルは外壁面材とその外壁面材の裏面側に固定された外壁フレームとで構成されており、外壁フレームを建物の天井大梁及び床大梁の建物外側面にそれぞれ取り付けることで外壁パネルが建物側面に取り付けられている。また、内壁パネルは内壁面材とその内壁面材の裏面側に固定された内壁フレームとその内壁フレームの枠内に組み込まれた断熱材とで構成されており、内壁フレームを外壁フレームに取り付けることで内壁パネルが建物に取り付けられている。
【先行技術文献】
【特許文献】
【０００３】
【特許文献１】特開２０１１−１１１７８４号公報
【発明の概要】
【発明が解決しようとする課題】
【０００４】
上記先行技術による建物外壁構造の場合、断熱材は内壁パネル内に設けられている。このため、外壁パネルが取り付けられる建物ユニットの断熱性能を向上させるためには、建物の天井大梁、床大梁及び柱の建物外側面にも断熱材をそれぞれ設けること（いわゆる外断熱工法）が望ましい。また、あらかじめ規定のサイズとされた複数の建物ユニットで構成されたユニット建物では、天井大梁、床大梁及び柱の建物外側面と外壁面材との間の空間は限られた大きさとなる。このため、天井大梁、床大梁及び柱の建物外側面にそれぞれ設ける断熱材は、限られたスペースで高い断熱性能を得ることができる樹脂系断熱材を用いるのが望ましい。この樹脂系断熱材は、繊維系断熱材と比較して硬質とされている。一方、建物ユニットは、天井大梁に取り付けられている天井仕口と床大梁に取り付けられている床仕口とが、柱とそれぞれ接合されることで箱型に形成された躯体フレームを有している。この天井仕口と柱との接合部及び床仕口と柱との接合部は、それぞれ溶接されており、この溶接部は柱の断面外側へ凸形状（いわゆる溶接ビード）とされている。したがって、樹脂系断熱材を建物ユニットの天井大梁、床大梁及び柱の建物外側面にそれぞれ設けた場合、樹脂系断熱材は天井仕口と柱との溶接部と、床仕口と柱との溶接部とにそれぞれ当接するため、溶接部の周辺の天井仕口、床仕口及び柱と樹脂系断熱材との間には隙間が形成される。その結果、この隙間を通じて建物内外で熱が伝導するため、断熱性能が低下する可能性がある。
【０００５】
本発明は上記問題を考慮し、断熱性能を向上させることができる建物ユニットの断熱構造を得ることを目的とする。
【課題を解決するための手段】
【０００６】
請求項１記載の発明に係る建物ユニットの断熱構造は、天井大梁及び床大梁が天井仕口及び床仕口を介して柱と接合されることで箱型に形成されると共に、前記柱と前記天井仕口との接合部及び前記柱と前記床仕口との接合部に凸形状のビード形状とされた溶接部がそれぞれ形成された躯体フレームと、前記溶接部の建物外側面に設けられると共に板状に形成されかつ前記溶接部と対応する部位に前記溶接部を受け入れる溶接受入れ部が設けられた柱用断熱材と、を有している。
【０００７】
請求項２記載の発明に係る建物ユニットの断熱構造は、請求項１に記載の建物ユニットの断熱構造において、前記柱用断熱材の溶接受入れ部には、溝が形成されている。
【０００８】
請求項３記載の発明に係る建物ユニットの断熱構造は、請求項２に記載の建物ユニットの断熱構造において、前記柱用断熱材の前記溶接受入れ部の前記溝には、発泡ウレタン断熱材が充填されている。
【０００９】
請求項４記載の発明に係る建物ユニットの断熱構造は、請求項１〜請求項３のいずれか１項に記載の建物ユニットの断熱構造において、前記柱用断熱材の前記溶接受入れ部は、弾力性を有する素材で構成されている。
【００１０】
請求項５記載の発明に係る建物ユニットの断熱構造は、請求項１〜請求項４のいずれか１項に記載の建物ユニットの断熱構造において、前記柱用断熱材の前記溶接受入れ部と前記柱との間には、弾力性を有するシート状の部材が介在されている。
【００１１】
請求項６記載の発明に係る建物ユニットの断熱構造は、請求項１〜請求項５のいずれか１項に記載の建物ユニットの断熱構造において、前記躯体フレームの前記柱の建物外側面には、建物外側に設けられた外壁面材と当該外壁面材の裏面に配置され当該外壁面材を支持する外壁フレームと当該外壁フレームの建物内側に設けられた前記柱用断熱材とで構成された柱部外壁パネルが設けられている。
【００１２】
請求項１記載の本発明によれば、柱用断熱材に設けられている溶接受入れ部によって躯体フレームの柱と天井仕口との接合部及び柱と床仕口との接合部にそれぞれ形成される溶接部のビード形状が受け入れられることから、柱用断熱材をビード形状と当接させても溶接部の周辺の天井仕口、床仕口及び柱と柱用断熱材との間に隙間が形成されることなく柱用断熱材を天井仕口、床仕口及び柱の建物外側面にそれぞれ当接させることができる。
【００１３】
請求項２記載の本発明によれば、柱用断熱材の溶接受入れ部の溝の内部に溶接部のビード形状が収められることで、溶接部の周辺の天井仕口、床仕口及び柱と柱用断熱材との間に隙間が形成されることなく柱用断熱材を天井仕口、床仕口及び柱の建物外側面にそれぞれ当接させることができる。また、この溝は柱用断熱材自体に形成されているため、柱用断熱材単体で溶接部のビード形状を納めることができる。
【００１４】
請求項３記載の本発明によれば、柱用断熱材の溶接受入れ部の溝の内部の発泡ウレタン断熱材によって溝の内部に収められる溶接部のビード形状と溶接受入れ部との間の隙間が埋められる。したがって、溶接部の周辺の天井仕口、床仕口及び柱と柱用断熱材との間並びに溶接受入れ部の溝の内部と溶接部との間には隙間が形成されることなく柱用断熱材を天井仕口、床仕口及び柱の建物外側面にそれぞれ当接させることができる。
【００１５】
請求項４記載の本発明によれば、柱用断熱材の溶接受入れ部は弾力性を有することから、柱用断熱材が天井仕口、床仕口及び柱の建物外側面にそれぞれ設けられる場合、溶接受入れ部は溶接部のビード形状に合わせて変形かつ追従することが可能となる。したがって、柱用断熱材がビード形状と当接しても溶接部の周辺の天井仕口、床仕口及び柱と柱用断熱材との間に隙間が形成されることなく柱用断熱材を天井仕口、床仕口及び柱の建物外側面にそれぞれ当接させることができる。また、溶接受入れ部自体が弾力性を有していることから、溶接受入れ部の範囲全体で溶接部のビード形状に合わせて変形かつ追従することが可能となる。
【００１６】
請求項５記載の本発明によれば、柱用断熱材は弾力性を有する部材を介在して溶接部と当接する。この弾力性を有する部材は溶接部のビード形状に合わせて変形かつ追従することが可能なため、溶接部の周辺の天井仕口、床仕口及び柱と柱用断熱材との間に隙間が形成されることなく柱用断熱材を天井仕口、床仕口及び柱の建物外側面にそれぞれ当接させることができる。また、柱用断熱材を加工することなく柱用断熱材を天井仕口、床仕口及び柱の建物外側面にそれぞれ当接させることができる。
【００１７】
請求項６記載の本発明によれば、柱用断熱材は外壁面材の裏面に外壁フレームと共に設けられており、柱用断熱材と外壁面材と外壁フレームとは、柱部外壁パネルとして一体的に取り扱うことができる。すなわち、柱部外壁パネルを建物ユニットの柱の建物外側面に取り付けることで、外壁面材を建物ユニットに取り付けると同時に、溶接部周辺の天井仕口、床仕口及び柱と柱用断熱材との間に隙間が形成されることなく柱用断熱材を天井仕口、床仕口及び柱の建物外側面にそれぞれ設けることが可能となる。
【発明の効果】
【００１８】
請求項１〜請求項５記載の本発明に係る建物ユニットの断熱構造は、断熱性能を向上させることができるという優れた効果を有する。
【００１９】
さらに、請求項２記載の本発明に係る建物ユニットの断熱構造は、部品点数が増えず、コストを低減することができるという優れた効果を有する。
【００２０】
また、請求項３記載の本発明に係る建物ユニットの断熱構造は、断熱性能をより向上させることができるという優れた効果を有する。
【００２１】
さらに、請求項４記載の本発明に係る建物ユニットの断熱構造は、溶接部と溶接受入れ部との建物上下方向での位置のバラつきを吸収することができるという優れた効果を有する。
【００２２】
さらにまた、請求項５記載の本発明に係る建物ユニットの断熱構造は、既存の柱用断熱材を使用することができるという優れた効果を有する。
【００２３】
請求項６記載の本発明に係る建物ユニットの断熱構造は、断熱性能を向上させることができると共に、建築現場での組立作業時等における作業性を向上させることができるという優れた効果を有する。
【図面の簡単な説明】
【００２４】
【図１】第１実施形態に係る建物ユニットの躯体フレームを示す外観斜視図である。
【図２】第１実施形態に係る建物ユニットの躯体フレームにおける接合部を示す外観斜視図である。
【図３】第１実施形態に係る建物ユニットの断熱構造における柱用断熱材の溶接受入れ部と躯体フレームの接合部との関係を示す拡大断面図である。
【図４】第１実施形態に係る建物ユニットの一部を建物上下方向で切断した状態を示す拡大断面図である。
【図５】第１実施形態に係る建物ユニットの一部を建物上下方向と直交する方向で切断した状態を示す拡大断面図である。
【図６】（Ａ）は第２実施形態に係る建物ユニットの断熱構造における柱用断熱材を躯体フレームの接合部へ取り付ける前の状態を示す拡大断面図であり、（Ｂ）は（Ａ）に対し柱用断熱材を躯体フレームの接合部へと取り付けた状態を示す拡大断面図である。
【図７】第３実施形態に係る建物ユニットの断熱構造における柱用断熱材の溶接受入れ部と躯体フレームの接合部との関係を示す拡大断面図である。
【図８】第４実施形態に係る建物ユニットの断熱構造における柱用断熱材の溶接受入れ部と躯体フレームの接合部との関係を示す拡大断面図である。
【図９】第５実施形態に係る建物ユニットの断熱構造における柱部外壁パネルが建物ユニットへ取り付けられた状態を建物ユニットの建物上下方向と直交する方向で切断した状態を示す拡大断面図である。
【図１０】第５実施形態に係る建物ユニットの断熱構造における柱部外壁パネルの一部を示す外観斜視図である。
【図１１】その他の実施形態に係る建物ユニットの断熱構造における柱部外壁パネルが建物ユニットへ取り付けられた状態を建物ユニットの建物上下方向と直交する方向で切断した状態を示す拡大断面図である。
【図１２】対比例に係る建物ユニットの断熱構造における柱用断熱材の溶接受入れ部と躯体フレームの接合部との関係を示す拡大断面図である。
【発明を実施するための形態】
【００２５】
以下、図１〜図５を用いて、本発明に係る建物ユニットの断熱構造の第１実施形態について説明する。
【００２６】
図１には、躯体フレーム１０を有する建物ユニット１２の外観斜視図が示されている。躯体フレーム１０は、躯体フレーム１０の四隅に立設された柱１４と、柱１４の上端部に取り付けられる天井フレーム１６と、柱１４の下端部に取り付けられる床フレーム１８とで構成されている。
【００２７】
天井フレーム１６は平面視で略矩形状に形成されている。この天井フレーム１６の四隅に設けられると共に柱の断面形状と略同一の角柱状に形成された天井仕口２０と、この天井仕口２０同士を水平方向に連結する長短二種類の天井大梁２２と、によって外枠が形成されている。この天井フレーム１６の建物上下方向における下側には、天井板２４が取り付けられている。
【００２８】
床フレーム１８は、天井フレーム１６と同様の構成とされている。すなわち、平面視で略矩形状に形成されており、床フレーム１８の四隅に設けられると共に柱の断面形状と略同一の角柱状に形成された床仕口２６と、この床仕口２６同士を水平方向に連結する長短二種類の床大梁２８と、によって外枠が形成されている。この床フレーム１８の建物上下方向における上側には、床板３０が取り付けられている。
【００２９】
図２に示されるように、天井仕口２０の下端部には、柱１４の上端部が接合される。天井仕口２０の下端部と柱１４の上端部とは溶接されており、この溶接によって天井仕口２０の上端部と柱１４の下端部とが結合される。また、この溶接により天井仕口２０の下端部と柱１４の上端部との接合部３２には、溶接部としての溶接ビード３４が形成される。この溶接ビード３４は、断面形状が略半円状に形成されると共に天井仕口２０及び柱１４の断面外側へ突出した凸形状のビード形状に形成されている（図３参照）。また、この接合部３２には、溶接後に防錆テープ３６が接合部３２の周方向に沿って貼り付けられている。
【００３０】
床仕口２６の上端部には、天井仕口２０の下端部と同様に、柱１４の下端部が接合されている。床仕口２６の上端部と柱１４の下端部とは溶接されており、この溶接によって床仕口２６の上端部と柱１４の下端部とが接合される。また、床仕口２６の上端部と柱１４の下端部との接合部３２には、天井仕口２０と柱１４との接合部３２と同様に溶接ビード３４が形成されていると共に、防錆テープ３６が接合部３２の周方向に沿って設けられている。これにより、天井フレーム１６と床フレーム１８とは柱１４を介して接合されることで、躯体フレーム１０は箱型に形成されている（図１参照）。
【００３１】
図４に示されるように、外壁パネル３８は、外壁フレーム４０と外壁面材４２と外側断熱材４４とにより構成されている。外壁フレーム４０は、間柱１５と、支持金物４６と、Ｌ型アングル材４８と、横桟５０と、により構成されている。間柱１５は、角柱状に形成されており、かつ、間柱１５は建物上下方向を長手方向として複数配置されている。また、複数の間柱１５同士は、天井大梁２２及び床大梁２８に沿って間隔を空けて設けられている。さらに、間柱１５は、金属より熱伝導率の低い材質で構成されており、本実施形態では木材により構成されている。
【００３２】
支持金物４６は、建物上下方向上側に位置する取付部５２と、取付部５２の下方に設けられる延出部５４によって構成されている。この取付部５２は、略箱状かつこの略箱形状における建物上下方向上側に位置する上面及び躯体フレーム１０側に設けられて躯体フレーム１０と当接する側面５６と対向する位置の側面が取り除かれた形状に形成されている。
【００３３】
延出部５４は、取付部５２の建物上下方向下側に位置する下面５８から建物上下方向に沿って下側に延出されている。この延出部５４は、建物上下方向に直交する面で切断した断面が略Ｕ字状に形成されており、断面略Ｕ字状の開口が建物内側に向けられるように設けられている。
【００３４】
延出部５４の建物上下方向下側には、延出部５４の対向する側面が建物上下方向下側に延出した間柱挟持部６０が設けられている。間柱挟持部６０には、板厚方向に貫通された図示しない締結用穴が建物上下方向に沿って複数並んで設けられている。そして、間柱挟持部６０に間柱１５の上端部６２が挿入されている。この状態で、複数のビス６４を締結用穴内に挿入し締結することによって支持金物４６は間柱１５の上端部６２に固定される。なお、支持金物４６は、上端部６２と同様に間柱１５の下端部６６にも取り付けられた構成とされており、下端部６６に取り付けられた支持金物４６は、上端部６２における支持金物４６と建物上下方向に直交する面で面対称となるように取り付けられている。
【００３５】
支持金物４６の取付部５２の側面５６には、板厚方向に貫通された図示しないボルト締結穴が設けられている。このボルト締結穴は、躯体フレーム１０の天井大梁２２及び床大梁２８の建物外側面６８にあらかじめ設けられている板厚方向に貫通された図示しない支持金物固定穴と同一軸上の位置に設けられている。これにより、支持金物４６のボルト締結穴と躯体フレーム１０の支持金物固定穴とにボルト７０を挿通させてナット７２で締結することで、支持金物４６は躯体フレーム１０の天井大梁２２及び床大梁２８に取り付けられる。
【００３６】
間柱１５の上端部６２の端部面７４には、連結延設部材としてのＬ型アングル材４８が取り付けられている。このＬ型アングル材４８は、建物上下方向に沿って立設されたアングル材側面７６とアングル材側面７６の下縁７８からアングル材側面７６に対し直交する方向に延出されたアングル材底面８０とで断面がＬ字型に形成されている。また、Ｌ型アングル材４８は間柱１５の長手方向と直交する方向に延設されている。
【００３７】
Ｌ型アングル材４８は、Ｌ型アングル材４８の断面内側が建物内側方向へと向けられると共に、アングル材底面８０の建物上下方向下側に設けられる断面外側面５７と間柱１５の端部面７４とが当接されている。そして、アングル材底面８０に設けられた板厚方向に貫通された図示しないビス締結穴にビス６４を挿通させて締め付けることで、間柱１５へ取り付けられている。
【００３８】
また、Ｌ型アングル材４８は、天井大梁２２及び床大梁２８に沿って間隔を空けるように複数設けられている他の間柱１５にも前述と同様の構成で取り付けられている。さらに、間柱１５の下端部６６には、上端部６２と同様の構成でＬ型アングル材４８が取り付けられている。したがって、複数の間柱１５の上端部６２同士及び下端部６６同士はそれぞれＬ型アングル材４８を介して連結されている。
【００３９】
間柱１５の上端部６２に取り付けられたＬ型アングル材４８は、アングル材側面７６の建物内側面が建物ユニット１２の天井大梁２２の建物外側面６８と接すると共に、アングル材底面８０の建物上下方向の上側に設けられる断面内側面８２が天井板２４と間隙を有して設けられている。また、間柱１５の下端部６６に取り付けられたＬ型アングル材４８は、アングル材側面７６の建物内側面が建物ユニット１２の床大梁２８の建物外側面６８と接すると共に、アングル材底面８０の断面内側面８２が床板３０と接する位置に設けられている。
【００４０】
支持金物４６の延出部５４と天井大梁２２の建物外側面６８及び床大梁２８の建物外側面６８との間には、間隙８４が設けられている。この間隙８４内には、間隙用断熱材８６が設けられている。
【００４１】
間柱１５の建物外側面１７には、一例として木材で構成された横桟５０が複数設けられている。この横桟５０は角柱状に形成されていると共に、建物上下方向と直交する方向を長手方向として取り付けられていると共に、隣接する横桟５０同士が建物上下方向に沿って間隔を空けるように間柱１５へ取り付けられている。
【００４２】
図５に示されるように、複数の間柱１５同士の間には、空間８８が形成されると共に、空間８８内に内側断熱材９０が設けられる。この内側断熱材９０は、一例として繊維系断熱材で構成されており、空間８８を埋めるように設けられている。
【００４３】
外壁フレーム４０の建物外側には、板状に形成された外側断熱材４４が設けられている。外側断熱材４４は、樹脂系断熱材で構成されかつ外壁面材４２の板厚と略同一の板厚とされた中間部断熱材９２と、中間部断熱材９２と同様に樹脂系断熱材で構成されかつ中間部断熱材９２の板厚と後述する通気胴縁９４の板厚とを合計した寸法と略同一の板厚とされた柱用断熱材９６とで構成されている。中間部断熱材９２及び柱用断熱材９６は、隣接する横桟５０同士の間に設けられている（図４参照）。
【００４４】
中間部断熱材９２の建物外側面９８には、通気胴縁９４が複数設けられている。この通気胴縁９４は、角柱状に形成されていると共に、中間部断熱材９２を間柱１５との間に有して間柱１５と対向する位置に建物上下方向を長手方向として横桟５０へ取り付けられている。この結果、通気胴縁９４の建物外側面１００と柱用断熱材９６の建物外側面１０２とは略同一面上に位置するように配置される。
【００４５】
柱用断熱材９６は、外壁パネル３８が躯体フレーム１０へと取り付いた状態で柱１４と当接する構成とされている。図３に示されるように、柱用断熱材９６は、柱１４の接合部３２と対応する部位に溶接受入れ部１０４が形成されている。この溶接受入れ部１０４は溝１０６により構成されており、この溝１０６の断面形状は接合部３２の溶接ビード３４の断面形状と同心円の半円形状とされ、かつ、溶接ビード３４の断面形状よりも大きく形成されている。これにより、溝１０６内に溶接ビード３４を収めた状態で柱用断熱材９６の建物内側面１１０が天井仕口２０、床仕口２６及び柱１４のそれぞれの建物外側面１１２と当接する構成とされている。なお、この溝１０６の形状は、溶接ビード３４の断面形状と同心円の半円形状に限らず、溶接ビード３４が内部に納めることが可能な形状であればその他の形状としてもよい。
【００４６】
図５に示されるように、外壁面材４２は、建物外側面としての意匠面１１４を建物外側に向けて通気胴縁９４の建物外側面１００に図示しないねじ等により取り付けられている。したがって、通気胴縁９４と接合されている箇所以外では、外壁面材４２は中間部断熱材９２と間隙１１５を有している。また、間柱１５の建物内側には、内壁下地１１６が取り付けられており、この内壁下地１１６の建物内側には室内側の壁である内壁面材１１８が取り付けられている。
【００４７】
（第１実施形態の作用・効果）
次に、本実施形態の作用並びに効果を説明する。
【００４８】
ここで、図１２に示される対比例を用いながら、本実施形態の作用並びに効果を説明することにする。なお、本実施形態と同一構成部分については同一番号を付してその説明を省略する。
【００４９】
図１２に示されるように、建物ユニット２００の躯体フレーム２０２における天井仕口２０４の下端部には、柱２０６の上端部が接合される。天井仕口２０４の下端部と柱２０６の上端部とは溶接されており、この溶接によって天井仕口２０４の上端部と柱２０６の下端部とが結合される。また、この溶接により天井仕口２０４の下端部と柱２０６の上端部との接合部２０８には、溶接部としての溶接ビード２１０が形成される。この溶接ビード２１０は、断面形状が略半円状に形成されると共に天井仕口２０４及び柱２０６の断面外側へ突出するように形成されている。また、この接合部２０８には、溶接後に防錆テープ３６が接合部２０８の周方向に沿って貼り付けられている。さらに、図示しない床仕口の上端部と柱２０６の下端部との接合部も、天井仕口２０４の下端部と柱２０６の上端部との接合部２０８と同様の構成とされている。
【００５０】
この建物ユニット２００の断熱性能を向上させるために天井仕口２０４、床仕口（不図示）及び柱２０６の建物外側面２１６に柱用断熱材２１８をそれぞれ設ける場合は、建物ユニット２００はあらかじめ規定のサイズとされていることから天井仕口２０４、床仕口及び柱２０６の建物外側面２１６と外壁面材４２との間の空間が限られた大きさとなるため、限られたスペースで高い断熱性能を得ることができる樹脂系断熱材が取り付けられる。この樹脂系断熱材は、繊維系断熱材と比較して硬質とされている。したがって、樹脂系断熱材を建物ユニット２００の天井仕口２０４、床仕口及び柱２０６の建物外側面２１６にそれぞれ設けた場合、柱用断熱材２１８は天井仕口２０４と柱２０６との接合部２０８に設けられる溶接ビード２１０と、図示しない床仕口と柱２０６との接合部に設けられる溶接ビードとにそれぞれ当接するため、溶接ビード２１０の周辺の天井仕口２０４、床仕口及び柱２０６と柱用断熱材２１８との間には隙間２２０が形成される。その結果、この隙間２２０を通じて建物内外で熱が伝導するため、断熱性能が低下する可能性がある。
【００５１】
これに対し、図３に示されるように、本発明によれば、柱用断熱材９６に設けられている溶接受入れ部１０４によって躯体フレーム１０の柱１４と天井仕口２０との接合部３２及び柱１４と床仕口２６との接合部３２にそれぞれ形成される溶接ビード３４が受け入れられることから、柱用断熱材９６を溶接ビード３４と当接させても溶接ビード３４の周辺の天井仕口２０、床仕口２６及び柱１４と柱用断熱材９６との間に隙間が形成されることなく柱用断熱材９６を天井仕口２０、床仕口２６及び柱１４の建物外側面１１２にそれぞれ当接させることができる。これにより、断熱性能を向上させることができる。
【００５２】
また、柱用断熱材９６の溶接受入れ部１０４の溝１０６の内部に溶接ビード３４が収められることで、溶接ビード３４の周辺の天井仕口２０、床仕口２６及び柱１４と柱用断熱材９６との間に隙間が形成されることなく柱用断熱材９６を天井仕口２０、床仕口２６及び柱１４の建物外側面１１２にそれぞれ当接させることができる。また、この溝１０６は柱用断熱材９６自体に形成されているため、柱用断熱材９６単体で溶接ビード３４を収めることができる。これにより、建物ユニット１２の断熱性能を向上させることができると共に、部品点数が増えず、コストを低減することができる
【００５３】
（第２実施形態）
次に、図６を用いて、本発明の第２実施形態に係る建物ユニットの断熱構造について説明する。なお、前述した第１実施形態等と同一構成部分については、同一番号を付してその説明を省略する。
【００５４】
この第２実施形態に係る建物ユニットの断熱構造は、基本的な構成は第１実施形態と同様とされ、柱用断熱材１２０における躯体フレーム１０の接合部３２と対応する位置に形成されている溶接受入れ部１２２の溝１２４内に発泡ウレタン断熱材１２１が充填されている点に特徴がある。
【００５５】
すなわち、柱用断熱材１２０は、外壁パネル１２６が躯体フレーム１０へと取り付いた状態で柱１４と当接する構成とされている。図６（Ａ）に示されるように、柱用断熱材１２０の溶接受入れ部１２２の溝１２４は、断面形状が接合部３２の溶接ビード３４の断面形状と同心円の半円形状とされ、かつ、溶接ビード３４の断面形状よりも大きく形成されている。なお、この溝１２４の形状は、溶接ビード３４の断面形状と同心円の半円形状に限らず、溶接ビード３４が内部に納めることが可能な形状であればその他の形状としてもよい。
【００５６】
また、この溝１２４の内部には、溝１２４を埋めるように発泡ウレタン断熱材１２１が設けられている。この発泡ウレタン断熱材１２１は、柱用断熱材１２０の溶接受入れ部１２２に溝１２４が形成された後に、発泡ウレタン断熱材１２１の原液を溝１２４内に充填するように吹き付けることで、原液が溝１２４内へ接着されると共に発泡することで弾力性を有する発泡ウレタン断熱材１２１が溝１２４を埋めるように設けられている。
【００５７】
溝１２４の内部に発泡ウレタン断熱材１２１が設けられた状態で柱用断熱材１２０が柱１４へと取り付けられると、図６（Ｂ）に示されるように、弾力性を有する発泡ウレタン断熱材１２１が溶接ビード３４に押し付けられる。この結果、発泡ウレタン断熱材１２１は溶接ビード３４と密着しながら変形圧縮される。
【００５８】
（第２実施形態の作用・効果）
次に、第２実施形態の作用並びに効果を説明する。
【００５９】
上記構成によれば、柱用断熱材１２０の溶接受入れ部１２２の溝１２４の内部の発泡ウレタン断熱材１２１によって溝１２４の内部に収められる溶接ビード３４と溶接受入れ部１２２との間の隙間が埋められる。したがって、溶接ビード３４の周辺の天井仕口２０、床仕口２６及び柱１４と柱用断熱材１２０との間並びに溶接受入れ部１２２の溝１２４の内部と溶接ビード３４との間には隙間が形成されることなく柱用断熱材１２０を天井仕口２０、床仕口２６及び柱１４の建物外側面１１２にそれぞれ当接させることができる。これにより、建物ユニット１２の断熱性能をより向上させることができる。
【００６０】
（第３実施形態）
次に、図７を用いて、本発明の第３実施形態に係る建物ユニットの断熱構造について説明する。なお、前述した第１実施形態等と同一構成部分については、同一番号を付してその説明を省略する。
【００６１】
この第３実施形態に係る建物ユニットの断熱構造は、基本的な構成は第１実施形態と同様とされ、柱用断熱材１３０における躯体フレーム１０の接合部３２と対応する位置に形成されている溶接受入れ部１３２が弾力性を有する素材で構成されている点に特徴がある。
【００６２】
すなわち、柱用断熱材１３０は、外壁パネル１３４が躯体フレーム１０へと取り付いた状態で柱１４と当接する構成とされている。図７に示されるように、柱用断熱材１３０は、躯体フレーム１０の接合部３２と対応する位置に溶接受入れ部１３２が形成されている。この溶接受入れ部１３２は、高発泡ポリエチレンにより構成されており、その他の部分は樹脂系断熱材により構成されている。なお、溶接受入れ部１３２は、高発泡ポリエチレンに限らず、弾力性を有するその他の素材で構成されていてもよい。
【００６３】
柱用断熱材１３０が柱１４へと取り付けられると、弾力性を有する溶接受入れ部１３２が溶接ビード３４に押し付けられる。この結果、溶接受入れ部１３２は溶接ビード３４と密着しながら変形圧縮される。
【００６４】
（第３実施形態の作用・効果）
次に、第３実施形態の作用並びに効果を説明する。
【００６５】
上記構成によれば、柱用断熱材１３０の溶接受入れ部１３２は弾力性を有することから、柱用断熱材１３０が天井仕口２０、床仕口２６及び柱１４の建物外側面１１２にそれぞれ設けられる場合、溶接受入れ部１３２は溶接ビード３４に合わせて変形かつ追従することが可能となる。したがって、柱用断熱材１３０が溶接ビード３４と当接しても溶接ビード３４の周辺の天井仕口２０、床仕口２６及び柱１４と柱用断熱材１３０との間に隙間が形成されることなく柱用断熱材１３０を天井仕口２０、床仕口２６及び柱１４の建物外側面１１２にそれぞれ当接させることができる。また、溶接受入れ部１３２自体が弾力性を有していることから、溶接受入れ部１３２の範囲全体で溶接ビード３４に合わせて変形かつ追従することが可能となる。これにより、建物ユニット１２の断熱性能を向上させることができると共に、溶接ビード３４と溶接受入れ部１３２との建物上下方向での位置のバラつきを吸収することができる。
【００６６】
（第４実施形態）
次に、図８を用いて、本発明の第４実施形態に係る建物ユニットの断熱構造について説明する。なお、前述した第１実施形態等と同一構成部分については、同一番号を付してその説明を省略する。
【００６７】
この第４実施形態に係る建物ユニットの断熱構造は、基本的な構成は第１実施形態と同様とされ、柱用断熱材１３６の建物内側面１３８に弾力性を有する部材が取り付けられている点に特徴がある。
【００６８】
柱用断熱材１３６の建物内側面１３８には、ＥＰＤＭシート１４０が取り付けられている。このＥＰＤＭシート１４０は弾力性を有しており、柱用断熱材１３６の建物内側面１３８の全面に渡って取り付けられている。なお、本実施形態では、ＥＰＤＭシート１４０が取り付けられているが、これに限らず、弾力性を有するその他の部材が取り付けられた構成とされてもよい。
【００６９】
柱用断熱材１３０が柱１４へと取り付けられると、弾力性を有するＥＰＤＭシート１４０が溶接ビード３４に押し付けられることで、ＥＰＤＭシート１４０は溶接ビード３４と密着しながら変形圧縮される。
【００７０】
（第４実施形態の作用・効果）
次に、第４実施形態の作用並びに効果を説明する。
【００７１】
上記構成によれば、柱用断熱材１３６は弾力性を有するＥＰＤＭシート１４０を介在して溶接ビード３４と当接する。この弾力性を有するＥＰＤＭシート１４０は溶接ビード３４に合わせて変形かつ追従することが可能なため、溶接ビード３４の周辺の天井仕口２０、床仕口２６及び柱１４と柱用断熱材１３６との間に隙間が形成されることなく柱用断熱材１３６を天井仕口２０、床仕口２６及び柱１４の建物外側面１１２にそれぞれ当接させることができる。また、柱用断熱材１３６を加工することなく柱用断熱材１３６を天井仕口２０、床仕口２６及び柱１４の建物外側面１１２にそれぞれ当接させることができる。これにより、建物ユニット１２の断熱性能を向上させることができると共に、既存の柱用断熱材を使用することができる。
【００７２】
（第５実施形態）
次に、図９、９を用いて、本発明の第５実施形態に係る建物ユニットの断熱構造について説明する。なお、前述した第１実施形態等と同一構成部分については、同一番号を付してその説明を省略する。
【００７３】
この第５実施形態に係る建物ユニットの断熱構造は、基本的な構成は第４実施形態と同様とされ、柱用断熱材１４４、外壁フレーム１４６及び外壁面材１４８が一体的に構成された柱部外壁パネル１５０を備えている点に特徴がある。
【００７４】
図１０に示されるように、柱部外壁パネル１５０は、建物外側に設けられる外壁面材１４８と、この外壁面材１４８の裏面に取り付けられた外壁フレーム１４６と、外壁フレーム１４６の枠内に設けられる柱用断熱材１４４（図９参照）により構成されている。
【００７５】
外壁面材１４８は、建物ユニット１２の桁方向に沿って設けられる桁側外壁面材１４９と、妻方向に沿って設けられる妻側外壁面材１５１と、によって構成されている。この桁側外壁面材１４９と妻側外壁面材１５１とは一方の端部がそれぞれ突き合わされて接合されており、建物上下方向と直交する方向での断面が略Ｌ字状とされている。
【００７６】
外壁面材１４８の裏面１５２には、外壁フレーム１４６が取り付けられている。この外壁フレーム１４６は、垂直フレーム１５４と水平フレーム１５６とで構成されている。垂直フレーム１５４は、断面が底面１５８と側面１６０とで略Ｌ字状に形成されると共に、この断面が建物上下方向に延伸された延材とされている。この垂直フレーム１５４は、底面１５８と外壁面材１４８の裏面１５２とが当接すると共に側面１６０の外側面１５９が外壁面材１４８の端部面１６２と略同一面上に位置するように外壁面材１４８の建物上下方向と直交する方向の端部にそれぞれ取り付けられている。
【００７７】
水平フレーム１５６は、略矩形状の板材が建物上下方向と直交する方向に配置された状態で外壁面材１４８の裏面１５２に沿って略Ｌ字状に折り曲げられたように形成されている。この水平フレーム１５６は複数（本実施形態では４本）設けられている。すなわち、外壁面材１４８の建物上下方向の端部に水平フレーム１５６がそれぞれ取り付けられていると共に、外壁面材１４８の建物上下方向の端部にそれぞれ取り付けられた水平フレーム１５６と建物上下方向に離間するようにさらに別の水平フレーム１５６が外壁面材１４８の裏面１５２に取り付けられている。また、それぞれの水平フレーム１５６は、長手方向の端部が垂直フレーム１５４の底面１５８と接合されている。したがって、外壁フレーム１４６は垂直フレーム１５４と水平フレーム１５６とで一体的な構成とされている。
【００７８】
図９に示されるように、外壁面材１４８の裏面１５２には、第一ＥＰＤＭシート１６４が取り付けられている。この第一ＥＰＤＭシート１６４は、板厚が垂直フレーム１５４の底面１５８の板厚と略同一以上とされており、外壁面材１４８の裏面１５２における垂直フレーム１５４が取り付けられた箇所以外に取り付けられている。この結果、垂直フレーム１５４の底面１５８と第一ＥＰＤＭシート１６４とが連続する構成とされている。なお、この第一ＥＰＤＭシート１６４は、水平フレーム１５６を跨ぐように取り付けられている。
【００７９】
第一ＥＰＤＭシート１６４の建物内側面１６１には、柱用断熱材１４４が設けられている。この柱用断熱材１４４は、外壁面材１４８の桁側外壁面材１４９に沿って設けられる桁側断熱材１４５と、妻側外壁面材１５１に沿って設けられる妻側断熱材１４７とで構成されている。桁側断熱材１４５と妻側断熱材１４７との建物内側面１６６には、第二ＥＰＤＭシート１６８が取り付けられている。この第二ＥＰＤＭシート１６８は弾力性を有しており、桁側断熱材１４５と妻側断熱材１４７との建物内側面１６６の全面に渡って取り付けられている。
【００８０】
柱部外壁パネル１５０が建物ユニット１２に取り付けられる場合は、第二ＥＰＤＭシート１６８の建物内側面を天井仕口２０、床仕口２６及び柱１４の建物外側面１１２にそれぞれ当接させるように配置すると共に、建物ユニット１２に既に取り付けられている外壁パネル３８の外壁フレーム４０の外側側面１７０と柱部外壁パネル１５０の外壁フレーム１４６における垂直フレーム１５４の外側面１５９とが当接するように取り付けられる。この外壁フレーム４０と垂直フレーム１５４とには、同一軸上で板厚方向に貫通されたボルト締結用孔１７２が形成されており、このボルト締結用孔１７２にボルト１７４が挿通されて締結されることで、柱部外壁パネル１５０は外壁パネル３８と連結されて建物ユニット１２へと取り付けられている。
【００８１】
また、建物ユニット１２に取り付けられている外壁パネル３８の外壁面材４２と柱部外壁パネル１５０の外壁面材１４８との間には、定型シール材１７６が設けられている。この定型シール材１７６は、外壁パネル３８の外壁面材４２と柱部外壁パネル１５０の外壁面材１４８との間に押し込まれるように挿入されており、外壁パネル３８の外壁面材４２と柱部外壁パネル１５０の外壁面材１４８とに密着するように設けられている。したがって、建物外側からの水の浸入や建物内外での熱の伝導を抑制することができる。
【００８２】
（第５実施形態の作用・効果）
次に、第５実施形態の作用並びに効果を説明する。
【００８３】
上記構成によれば、柱用断熱材１４４は外壁面材１４８の裏面１５２に外壁フレーム１４６と共に設けられており、柱用断熱材１４４と外壁面材１４８と外壁フレーム１４６とは、柱部外壁パネル１５０として一体的に取り扱うことができる。すなわち、柱部外壁パネル１５０を建物ユニット１２の柱１４の建物外側面１１２に取り付けることで、外壁面材１４８を建物ユニット１２に取り付けると同時に、溶接ビード３４周辺の天井仕口２０、床仕口２６及び柱１４と柱用断熱材１４４との間に隙間が形成されることなく柱用断熱材１４４を天井仕口２０、床仕口２６及び柱１４の建物外側面１１２にそれぞれ設けることが可能となる。これにより、建物ユニット１２の断熱性能を向上させることができると共に、組立作業時等における作業性を向上させることができる。
【００８４】
また、外壁面材１４８と柱用断熱材１４４との間には、第一ＥＰＤＭシート１６４が設けられている。したがって、柱用断熱材１４４と外壁面材１４８との間の隙間も埋めることができるため、この隙間を通じた建物内外での熱の伝導を抑制することができる。これにより、建物ユニット１２の断熱性能をより一層向上させることが可能となる。
【００８５】
なお、本実施形態では、柱部外壁パネル１５０は、建物上下方向と直交する方向での断面が略Ｌ字状とされており、柱１４の２つの側面に柱用断熱材１４４が設けられる構成とされているが、これに限らず、図１１に示されるように、柱部外壁パネル１８０は柱１４の１つの側面に柱部断熱材１７８が設けられる構成としてもよい。この構成によれば、外壁面材１４８の裏面１５２に取り付けられる外壁フレーム１４６の垂直フレーム１８２の一方の端部が柱１４の側面と当接し締結具で締結されている。これにより、柱部外壁パネル１８０は建物ユニット１２へと固定される。これにより、建物ユニット１２同士が接合される場合における隣接する柱１４同士にも柱部外壁パネル１８０をそれぞれ設けることが可能となる。また、この隣接する柱部外壁パネル１８０同士の間には定型シール材１７６が設けられることで建物外側からの水の浸入や建物内外での熱の伝導を抑制することができる。
【００８６】
以上、本発明の実施形態について説明したが、本発明は、上記に限定されるものでなく、その主旨を逸脱しない範囲内において上記以外にも種々変形して実施することが可能であることは勿論である。
【符号の説明】
【００８７】
１０    躯体フレーム
１２    建物ユニット
１４    柱
２０    天井仕口
２２    天井大梁
２６    床仕口
２８    床大梁
３２    接合部
３４    溶接ビード（溶接部）
９６    柱用断熱材
１０４  溶接受入れ部
１０６  溝
１１２  建物外側面
１２１   発泡ウレタン断熱材
１２２  溶接受入れ部
１２４  溝
１３２  溶接受入れ部
１４０ ＥＰＤＭシート（シート状の部材）
１４２  溶接受入れ部
１４４  柱用断熱材
１４６  外壁フレーム
１４８  外壁面材
１５０  柱部外壁パネル
１５２  裏面
１６８  第二ＥＰＤＭシート（シート状の部材）
１８０  柱部外壁パネル
【図１】
2015161083.tif 000003
【図２】
2015161083.tif 000004
【図３】
2015161083.tif 000005
【図４】
2015161083.tif 000006
【図５】
2015161083.tif 000007
【図６】
2015161083.tif 000008
【図７】
2015161083.tif 000009
【図８】
2015161083.tif 000010
【図９】
2015161083.tif 000011
【図１０】
2015161083.tif 000012
【図１１】
2015161083.tif 000013
【図１２】
2015161083.tif 000014